【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
パイプの開口端部をシールする装置であって、
該パイプの該開口端部を覆うように構成されているシールプレートであって、該パイプの該開口端部をシールする手段を含む、シールプレートと、
パイプの該開口端部に隣接する該パイプの外面に摩擦固定され、該パイプの該外面を周方向に把持するとともにクランプとパイプとの間の相対的な軸方向移動を防止する手段を含み、該手段が上方に傾斜した斜面を形成する外面を有する内側部分把持リングと、下方に傾斜した斜面を形成する内面を有する外側環状圧縮リングとを含み、該圧縮リングが該斜面が係合するよう把持リングに取り付け可能であり、それにより該圧縮リングが該シールプレートに向かって引っ張られる場合には、該圧縮リングがパイプとより強固に係合するよう該把持リングを下方に押す、少なくとも１つの概ね環状のクランプと、
該シールプレートと該クランプとを一緒に、該パイプの該開口端部に対して軸方向に、かつ、該シールプレートを押すように付勢する付勢手段とを備える、パイプの開口端部をシールする装置。
【請求項２】
前記シールプレートが前記パイプの前記開口端部と前記シールプレートとの間にシールを形成する前記シール手段を含む、請求項１に記載の装置。
【請求項３】
前記付勢手段が前記少なくとも１つのクランプと前記シールプレートとの間に延ばすための複数の第１の接続要素を含み、該第１の接続要素が前記シールプレートを前記少なくとも１つのクランプに向かって、かつ、前記パイプの前記開口端部に対して付勢し、前記シールプレートと前記パイプの前記開口端部との間にシール係合を形成し、同様に、前記圧縮リングに前記把持リングを下方に押させるように前記クランプを前記シールプレートに向かって付勢する、請求項２に記載の装置。
【請求項４】
前記少なくとも１つのクランプが周方向フランジを含み、
前記シールプレートが周方向フランジを含み、
前記第１の接続要素がそれらとのねじ山をつけた係合をするための関連するナットを有するシールボルトを含み、前記少なくとも１つのクランプ及び前記シールプレートの前記周方向フランジが前記シールボルトを受け入れる複数のボルト孔を含む、請求項３に記載の装置。
【請求項５】
前記少なくとも１つのクランプが、一緒に接合されて前記パイプの前記外面上に嵌まるように構成されている環状体を形成するように構成されている少なくとも２つのクランプセクションで構成され、
前記クランプセクションが、それぞれ、該セクションの両端部に設けられている接続フランジであって、複数のボルト孔を有する接続フランジを含み、
隣接するクランプセクションのフランジを接続するとともに、各クランプセクションを、前記環状形状のクランプを形成するように隣接するクランプセクションに向かって締め付ける、複数の第２の接続要素を含む、請求項３に記載の装置。
【請求項６】
前記クランプセクションがクランプセクションの長さの少なくとも一部に沿って延びるシールフランジを含み、前記クランプセクションが組み付けられると、前記シールフランジが前記少なくとも１つのクランプ上に概ね周方向のフランジを形成する、請求項５に記載の装置。
【請求項７】
前記付勢手段が、前記少なくとも１つのクランプの前記周方向シールフランジと前記シールプレートとの間に延びる複数の第１の接続要素を含み、該第１の接続要素が、前記シールプレートを前記少なくとも１つのクランプの前記シールフランジに向かって、かつ前記パイプの前記開口端部に対して付勢し、前記シールプレートと前記パイプの前記開口端部との間にシール係合を形成する、請求項６に記載の装置。
【請求項８】
前記パイプ内に挿入されるとともに前記パイプの壁を径方向に支える内部補強アセンブリをさらに備える、請求項５に記載の装置。
【請求項９】
前記径方向補強アセンブリが、ハブと、該アセンブリの使用時に該ハブから前記パイプの内壁まで径方向外方へ延びる複数の調節可能なアームとを備える、請求項８に記載の装置。
【請求項１０】
前記シールプレートが、前記パイプの内部を加圧、放出若しくは監視する、加圧手段、監視手段、又はそれらの組み合わせへ接続する少なくとも１つのポートを含む、請求項３に記載の装置。
【請求項１１】
前記少なくとも１つのクランプが、
内径表面を有する概ね環状体であって、該内径表面の少なくとも一部が該環状体の第１の端部から第２の端部へ延びる第１の斜面を含み、該環状体が該第２の端部におけるよりも該第１の端部においてより大きい内径を有する、概ね環状体と、
該環状体と同軸上にある概ね環状の把持リングであって、該把持リングが２つ以上のセクションで構成され、前記パイプの前記外面と係合する内径を有する内面と、外面とを有し、該把持リングの該外面の少なくとも一部は第２の斜面を含み、該第２の斜面が該第１の斜面と対向するように向けられており、該把持リングの該第２の端部が、該環状体の該第１の端部と前記パイプの外壁との間の環状スペース内に挿入可能であり、
該第２の斜面を該第１の斜面の下に押しやるように該把持リング及び該本体を互いに向かって付勢する手段であって、それによって、前記装置の使用時に、該第１の斜面が前記第２の斜面に対して押し当たり、該把持リングの該内径が低減する結果として該把持リングと前記パイプの前記外面との間に摩擦係合が生じる付勢する手段とを含む、請求項１に記載の装置。
【請求項１２】
前記把持リングを付勢する手段が、前記環状体に設けられる複数のボルトを含み、該ボルトが前記把持リングの前記第１の端部に対して軸方向力を印加するように配置される、請求項１１に記載の装置。
【請求項１３】
前記把持リングを付勢する手段が、
前記環状体及び前記把持リングと同軸上にあるとともに、前記装置の使用時に前記把持リングの前記第１の端部に隣接して位置決めされる、概ね環状のクランプリングと、
前記環状体及び前記クランプリングを互いに向かって押しやり、それによって、前記把持リングの前記第１の端部をクランプリングによって押圧することにより前記把持リングの前記第２の端部を前記環状体の前記第１の斜面の前記第１の端部の下に押しやるように前記環状体及び前記クランプリング間に延びる複数の接続要素とを備える、請求項１１に記載の装置。
【請求項１４】
前記接続要素が、ボルトと、関連するナットとを含み、該ナットを締め付けることによって前記環状体及び前記クランプリングが互いに向かって押しやられる、請求項１３に記載の装置。
【請求項１５】
前記シールプレートが、前記パイプの内部を加圧、放出若しくは監視する、加圧手段、放出手段、監視手段、又はそれらの組み合わせへ接続する少なくとも１つのポートを含む、請求項１１に記載の装置。
【請求項１６】
前記パイプ内に挿入されるとともに前記パイプの壁を径方向に支える内部補強アセンブリをさらに備える、請求項１１に記載の装置。
【請求項１７】
開口端部を有するパイプのセクションをシールする方法であって、
少なくとも１つの外側クランプを、該パイプの外面上の、該開口端部から離間した場所に周方向に位置決めすることであって、該少なくとも１つのクランプを、該クランプと該パイプとの間の相対的な軸方向移動を防止するように該パイプの表面に摩擦固定する、少なくとも１つの外側クランプを位置決めすることと、
該パイプの該開口端部を覆うように、該開口端部に対してシールプレートを位置決めすることと、
該シールプレートを該少なくとも１つのクランプのうちの少なくとも１つに接続することと、
該シールプレートを該少なくとも１つのクランプに向かって軸方向に押しやるとともに該パイプの該開口端部と該シールプレートとの間にシールを形成することとを含む、方法。
【請求項１８】
前記少なくとも１つのクランプが、少なくとも２つのセクションで形成される概ね環状体を含み、前記外側クランプを前記パイプの前記外面上に周方向に固定するステップが、前記少なくとも２つのセクションを一緒に接続するとともに、該セクションを一緒に締め付けることによって前記少なくとも１つのクランプと前記パイプの前記外面との間に摩擦係合を生じさせることを含む、請求項１７に記載の方法。
【請求項１９】
前記少なくとも１つのクランプが、内面を有する概ね環状体であって、前記内面の一部は第１の斜面を含む概ね環状体と、少なくとも２つのセクションで形成される概ね環状の把持リングであって、外面を含み、該外面の一部が第２の斜面を含む概ね環状の把持リングとを備え、前記方法が、
前記第１の斜面及び前記第２の斜面が対向する向きになるように前記環状体及び前記把持リングを同軸に位置決めすることであって、該把持リングの該第２の斜面が前記環状体の前記第１の斜面と前記パイプの外壁との間に挿入可能である、同軸に位置決めすることと、
前記把持リングを前記環状体に対して押しやることであって、前記把持リングを径方向に圧縮させるとともに前記把持リングを前記パイプの前記外面上に摩擦係合させる、前記把持リングを押しやることと、
前記把持リングと前記パイプの表面との間に十分なクランプ力を形成することであって、前記少なくとも１つのクランプと前記パイプとの間の相対的な軸方向移動を防止する、十分なクランプ力を形成することとを含む、請求項１７に記載の方法。
【請求項２０】
前記把持リングを押しやるステップが、前記環状体に接続される複数のボルトによって前記把持リングを付勢することを含む、請求項１９に記載の方法。
【請求項２１】
前記把持リングを押しやるステップが、前記把持リングに隣接して、前記環状体と対向して概ね環状のクランプリングを同軸に設けることと、前記クランプリングを前記把持リングに対して付勢することとを含む、請求項１９に記載の方法。
【請求項２２】
前記クランプリングを付勢するステップが、前記クランプリングと前記環状体との間に接続されている接続要素を締め付けることを含む、請求項２１に記載の方法。